【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
帳票データを表示部に表示する帳票表示システムであって、
前記帳票データ内の集計対象となる複数のデータ範囲のデータ間の演算処理に対する演算候補と該演算候補に対する演算処理で用いられるデータ項目との関係を示す演算候補データを記憶する記憶手段と、
前記帳票データを前記表示部に表示する表示手段と、
前記表示手段で表示された帳票データ内の集計対象となるデータ範囲の選択を受け付ける受付手段と、
前記受付手段で受け付けた複数のデータ範囲のデータ項目と、前記記憶手段に記憶されている演算候補データとに従って、前記受付手段で受け付けた複数のデータ範囲のデータ項目のデータ間の演算処理に対する演算候補を抽出して前記表示部に表示する演算候補抽出手段と、
前記演算候補抽出手段により抽出された演算候補の中から、演算候補の選択を受け付ける演算候補受付手段と、
前記演算候補受付手段により受け付けた演算候補に対する演算処理を、前記受付手段で受け付けた複数のデータ範囲のデータに対して実行する演算処理手段と、
前記演算処理手段により実行された演算処理の結果を前記表示部に表示する処理結果表示手段と、
を備えることを特徴とする帳票表示システム。
【請求項２】
前記記憶手段は、前記帳票データ内の集計対象となるデータ項目と該データ項目ごとのデータ範囲の位置との関係を示す項目位置データを更に記憶し、
前記受付手段で受け付けた複数のデータ範囲と、前記記憶手段に記憶されている項目位置データとに従って、前記受付手段により選択を受け付けたデータ範囲のデータ項目を特定する特定手段と、
を更に備え、
前記演算候補抽出手段は、前記特定手段により特定された複数のデータ項目と、前記記憶手段に記憶されている演算候補データとに従って、前記受付手段で受け付けた複数のデータ範囲のデータ項目のデータ間の演算処理に対する演算候補を抽出して前記表示部に表示することを特徴とする請求項１に記載の帳票表示システム。
【請求項３】
前記受付手段により３つ以上のデータ範囲の選択を受け付けた場合、前記演算候補抽出手段は、当該３つ以上のデータ範囲に対するデータ項目のデータ間で演算可能な全ての演算候補を、前記記憶手段に記憶されている演算候補データから抽出することを特徴とする請求項１または２に記載の帳票表示システム。
【請求項４】
帳票データの表示を行うクライアント装置と通信可能な該帳票データを記憶する帳票サーバとして機能する情報処理装置であって、
前記帳票データと、前記帳票データ内の集計対象となる複数のデータ範囲のデータ間の演算処理に対する演算候補と該演算候補に対する演算処理で用いられるデータ項目との関係を示す演算候補データとを記憶する記憶手段と、
前記クライアント装置からの要求に応じて、前記記憶手段に記憶されている帳票データと、該帳票データで用いられる演算候補データとを、前記クライアント装置に返送する返送手段と、
前記クライアント装置から送信される演算要求に含まれる演算候補に対する演算処理を、前記クライアント装置で選択された複数のデータ範囲のデータに対して実行する演算処理手段と、
前記演算処理手段により実行された演算処理の結果を前記クライアント装置に送信する処理結果送信手段と、
を備えることを特徴とする情報処理装置。
【請求項５】
帳票データを記憶する帳票サーバと通信可能なクライアント装置として機能する情報処理装置であって、
前記帳票サーバから、前記帳票データと、該帳票データで用いられる演算候補データとを受信する受信手段と、
前記受信手段により受信された帳票データを表示部に表示する表示手段と、
前記表示手段により表示された帳票データ内の集計対象となるデータ範囲の選択を受け付ける受付手段と、
前記受付手段で受け付けた複数のデータ範囲のデータ項目と、前記受信手段により受信された演算候補データとに従って、前記受付手段で受け付けた複数のデータ範囲のデータ項目のデータ間の演算処理に対する演算候補を抽出して前記表示部に表示する演算候補抽出手段と、
前記演算候補抽出手段により抽出された演算候補の中から、演算候補の選択を受け付ける演算候補受付手段と、
前記受付手段により受け付けた複数のデータ範囲のデータに対して、前記演算候補受付手段により受け付けた演算候補に対する演算処理を実行するための、該演算候補を含む演算要求を前記帳票サーバに送信する演算要求手段と、
前記帳票サーバから受信する、前記演算要求に対する演算処理の結果を前記表示部に表示する処理結果表示手段と、
を備えることを特徴とする情報処理装置。
【請求項６】
帳票データを記憶する帳票サーバと通信可能なクライアント装置として機能する情報処理装置であって、
前記帳票サーバから、前記帳票データと、該帳票データで用いられる演算候補データとを受信する受信手段と、
前記受信手段により受信された帳票データを表示部に表示する表示手段と、
前記表示手段により表示された帳票データ内の集計対象となるデータ範囲の選択を受け付ける受付手段と、
前記受付手段で受け付けた複数のデータ範囲のデータ項目と、前記受信手段により受信された演算候補データとに従って、前記受付手段で受け付けた複数のデータ範囲のデータ項目のデータ間の演算処理に対する演算候補を抽出して前記表示部に表示する演算候補抽出手段と、
前記演算候補抽出手段により抽出された演算候補の中から、演算候補の選択を受け付ける演算候補受付手段と、
前記受付手段により受け付けた複数のデータ範囲のデータに対して、前記演算候補受付手段により受け付けた演算候補に対する演算処理を実行する演算処理手段と、
前記演算処理手段により実行された演算処理の結果を前記表示部に表示する処理結果表示手段と、
を備えることを特徴とする情報処理装置。
【請求項７】
帳票データ内の集計対象となる複数のデータ範囲のデータ間の演算処理に対する演算候補と該演算候補に対する演算処理で用いられるデータ項目との関係を示す演算候補データを記憶する記憶手段を備え、前記帳票データを表示部に表示する帳票表示システムで読み取り実行可能なプログラムであって、
前記帳票表示システムを、
前記帳票データを前記表示部に表示する表示手段と、
前記表示手段で表示された帳票データ内の集計対象となるデータ範囲の選択を受け付ける受付手段と、
前記受付手段で受け付けた複数のデータ範囲のデータ項目と、前記記憶手段に記憶されている演算候補データとに従って、前記受付手段で受け付けた複数のデータ範囲のデータ項目のデータ間の演算処理に対する演算候補を抽出して前記表示部に表示する演算候補抽出手段と、
前記演算候補抽出手段により抽出された演算候補の中から、演算候補の選択を受け付ける演算候補受付手段と、
前記演算候補受付手段により受け付けた演算候補に対する演算処理を、前記受付手段で受け付けた複数のデータ範囲のデータに対して実行する演算処理手段と、
前記演算処理手段により実行された演算処理の結果を前記表示部に表示する処理結果表示手段と
して機能させることを特徴とするプログラム。
【請求項８】
帳票データの表示を行うクライアント装置と通信可能であり、前記帳票データと、前記帳票データ内の集計対象となる複数のデータ範囲のデータ間の演算処理に対する演算候補と該演算候補に対する演算処理で用いられるデータ項目との関係を示す演算候補データとを記憶する記憶手段を備えた帳票サーバとして機能する情報処理装置で実行されるプログラムであって、
前記情報処理装置を、
前記クライアント装置からの要求に応じて、前記記憶手段に記憶されている帳票データと、該帳票データで用いられる演算候補データとを、前記クライアント装置に返送する返送手段と、
前記クライアント装置から送信される演算要求に含まれる演算候補に対する演算処理を、前記クライアント装置で選択された複数のデータ範囲のデータに対して実行する演算処理手段と、
前記演算処理手段により実行された演算処理の結果を前記クライアント装置に送信する処理結果送信手段として機能させることを特徴とするコンピュータで実行可能なプログラム。
【請求項９】
帳票データを記憶する帳票サーバと通信可能なクライアント装置として機能する情報処理装置で実行されるプログラムであって、
前記情報処理装置を、
前記帳票サーバから、前記帳票データと、該帳票データで用いられる演算候補データとを受信する受信手段と、
前記受信手段により受信された帳票データを表示部に表示する表示手段と、
前記表示手段により表示された帳票データ内の集計対象となるデータ範囲の選択を受け付ける受付手段と、
前記受付手段で受け付けた複数のデータ範囲のデータ項目と、前記受信手段により受信された演算候補データとに従って、前記受付手段で受け付けた複数のデータ範囲のデータ項目のデータ間の演算処理に対する演算候補を抽出して前記表示部に表示する演算候補抽出手段と、
前記演算候補抽出手段により抽出された演算候補の中から、演算候補の選択を受け付ける演算候補受付手段と、
前記受付手段により受け付けた複数のデータ範囲のデータに対して、前記演算候補受付手段により受け付けた演算候補に対する演算処理を実行するための、該演算候補を含む演算要求を前記帳票サーバに送信する演算要求手段と、
前記帳票サーバから受信する、前記演算要求に対する演算処理の結果を前記表示部に表示する処理結果表示手段として機能させることを特徴とするコンピュータ実行可能なプログラム。
【請求項１０】
帳票データを記憶する帳票サーバと通信可能なクライアント装置として機能する情報処理装置で実行可能なプログラムであって、
前記情報処理装置を、
前記帳票サーバから、前記帳票データと、該帳票データで用いられる演算候補データとを受信する受信手段と、
前記受信手段により受信された帳票データを表示部に表示する表示手段と、
前記表示手段により表示された帳票データ内の集計対象となるデータ範囲の選択を受け付ける受付手段と、
前記受付手段で受け付けた複数のデータ範囲のデータ項目と、前記受信手段により受信された演算候補データとに従って、前記受付手段で受け付けた複数のデータ範囲のデータ項目のデータ間の演算処理に対する演算候補を抽出して前記表示部に表示する演算候補抽出手段と、
前記演算候補抽出手段により抽出された演算候補の中から、演算候補の選択を受け付ける演算候補受付手段と、
前記受付手段により受け付けた複数のデータ範囲のデータに対して、前記演算候補受付手段により受け付けた演算候補に対する演算処理を実行する演算処理手段と、
前記演算処理手段により実行された演算処理の結果を前記表示部に表示する処理結果表示手段として機能させることを特徴とするコンピュータ実行可能なプログラム。
【請求項１１】
帳票データ内の集計対象となる複数のデータ範囲のデータ間の演算処理に対する演算候補と該演算候補に対する演算処理で用いられるデータ項目との関係を示す演算候補データを記憶する記憶手段を備え、前記帳票データを表示部に表示する帳票表示システムにおける帳票表示方法であって、
前記帳票表示システムの表示手段が、前記帳票データを前記表示部に表示する表示工程と、
前記帳票表示システムの受付手段が、前記表示工程で表示された帳票データ内の集計対象となるデータ範囲の選択を受け付ける受付工程と、
前記帳票表示システムの演算候補抽出手段が、前記受付工程で受け付けた複数のデータ範囲のデータ項目と、前記記憶手段に記憶されている演算候補データとに従って、前記受付工程で受け付けた複数のデータ範囲のデータ項目のデータ間の演算処理に対する演算候補を抽出して前記表示部に表示する演算候補抽出工程と、
前記帳票表示システムの演算候補受付手段が、前記演算候補抽出工程により抽出された演算候補の中から、演算候補の選択を受け付ける演算候補受付工程と、
前記帳票表示システムの演算処理手段が、前記演算候補受付工程により受け付けた演算候補に対する演算処理を、前記受付工程で受け付けた複数のデータ範囲のデータに対して実行する演算処理工程と、
前記帳票表示システムの処理結果表示手段が、前記演算処理工程により実行された演算処理の結果を前記表示部に表示する処理結果表示工程と、
を含むことを特徴とする帳票表示方法。
【請求項１２】
帳票データの表示を行うクライアント装置と通信可能であり、前記帳票データと、前記帳票データ内の集計対象となる複数のデータ範囲のデータ間の演算処理に対する演算候補と該演算候補に対する演算処理で用いられるデータ項目との関係を示す演算候補データとを記憶する記憶手段を備えた帳票サーバとして機能する情報処理装置における情報処理方法であって、
前記情報処理装置の返送手段が、前記クライアント装置からの要求に応じて、前記記憶手段に記憶されている帳票データと、該帳票データで用いられる演算候補データとを、前記クライアント装置に返送する返送工程と、
前記情報処理装置の演算処理手段が、前記クライアント装置から送信される演算要求に含まれる演算候補に対する演算処理を、前記クライアント装置で選択された複数のデータ範囲のデータに対して実行する演算処理工程と、
前記情報処理装置の処理結果送信手段が、前記演算処理工程により実行された演算処理の結果を前記クライアント装置に送信する処理結果送信工程と、
を含むことを特徴とする情報処理方法。
【請求項１３】
帳票データを記憶する帳票サーバと通信可能なクライアント装置として機能する情報処理装置における情報処理方法であって、
前記情報処理装置の受信手段が、前記帳票サーバから、前記帳票データと、該帳票データで用いられる演算候補データとを受信する受信工程と、
前記情報処理装置の表示手段が、前記受信手段により受信された帳票データを表示部に表示する表示工程と、
前記情報処理装置の受付手段が、前記表示工程により表示された帳票データ内の集計対象となるデータ範囲の選択を受け付ける受付工程と、
前記情報処理装置の演算候補抽出手段が、前記受付工程で受け付けた複数のデータ範囲のデータ項目と、前記受信工程により受信された演算候補データとに従って、前記受付工程で受け付けた複数のデータ範囲のデータ項目のデータ間の演算処理に対する演算候補を抽出して前記表示部に表示する演算候補抽出工程と、
前記情報処理装置の演算候補受付手段が、前記演算候補抽出工程により抽出された演算候補の中から、演算候補の選択を受け付ける演算候補受付工程と、
前記情報処理装置の演算要求手段が、前記受付工程により受け付けた複数のデータ範囲のデータに対して、前記演算候補受付工程により受け付けた演算候補に対する演算処理を実行するための、該演算候補を含む演算要求を前記帳票サーバに送信する演算要求工程と、
前記情報処理装置の処理結果表示手段が、前記帳票サーバから受信する、前記演算要求に対する演算処理の結果を前記表示部に表示する処理結果表示工程と、
を含むことを特徴とする情報処理方法。
【請求項１４】
帳票データを記憶する帳票サーバと通信可能なクライアント装置として機能する情報処理装置における情報処理方法であって、
前記情報処理装置の受信手段が、前記帳票サーバから、前記帳票データと、該帳票データで用いられる演算候補データとを受信する受信工程と、
前記情報処理装置の表示手段が、前記受信工程により受信された帳票データを表示部に表示する表示工程と、
前記情報処理装置の受付手段が、前記表示工程により表示された帳票データ内の集計対象となるデータ範囲の選択を受け付ける受付工程と、
前記情報処理装置の演算候補抽出手段が、前記受付工程で受け付けた複数のデータ範囲のデータ項目と、前記受信工程により受信された演算候補データとに従って、前記受付工程で受け付けた複数のデータ範囲のデータ項目のデータ間の演算処理に対する演算候補を抽出して前記表示部に表示する演算候補抽出工程と、
前記情報処理装置の演算候補受付手段が、前記演算候補抽出工程により抽出された演算候補の中から、演算候補の選択を受け付ける演算候補受付工程と、
前記情報処理装置の演算処理手段が、前記受付工程により受け付けた複数のデータ範囲のデータに対して、前記演算候補受付工程により受け付けた演算候補に対する演算処理を実行する演算処理工程と、
前記情報処理装置の処理結果表示手段が、前記演算処理工程により実行された演算処理の結果を前記表示部に表示する処理結果表示工程と、
を含むことを特徴とする情報処理方法。
【手続補正２】
【補正対象書類名】明細書
【補正対象項目名】発明の名称
【補正方法】変更
【補正の内容】
【発明の名称】帳票表示システム、情報処理装置、帳票表示方法、情報処理方法、プログラム
【手続補正３】
【補正対象書類名】明細書
【補正対象項目名】０００９
【補正方法】変更
【補正の内容】
【０００９】
本発明は、複数のデータ範囲を任意に指定することで、指定された複数のデータ範囲の関係から適切な演算を指示することができ、指示された演算処理を実行させることを目的とする。
【手続補正４】
【補正対象書類名】明細書
【補正対象項目名】００１０
【補正方法】変更
【補正の内容】
【００１０】
本発明は、帳票データを表示部に表示する帳票表示システムであって、前記帳票データ内の集計対象となる複数のデータ範囲のデータ間の演算処理に対する演算候補と該演算候補に対する演算処理で用いられるデータ項目との関係を示す演算候補データを記憶する記憶手段と、前記帳票データを前記表示部に表示する表示手段と、前記表示手段で表示された帳票データ内の集計対象となるデータ範囲の選択を受け付ける受付手段と、前記受付手段で受け付けた複数のデータ範囲のデータ項目と、前記記憶手段に記憶されている演算候補データとに従って、前記受付手段で受け付けた複数のデータ範囲のデータ項目のデータ間の演算処理に対する演算候補を抽出して前記表示部に表示する演算候補抽出手段と、前記演算候補抽出手段により抽出された演算候補の中から、演算候補の選択を受け付ける演算候補受付手段と、前記演算候補受付手段により受け付けた演算候補に対する演算処理を、前記受付手段で受け付けた複数のデータ範囲のデータに対して実行する演算処理手段と、前記演算処理手段により実行された演算処理の結果を前記表示部に表示する処理結果表示手段と、を備えることを特徴とする。
【手続補正５】
【補正対象書類名】明細書
【補正対象項目名】００１１
【補正方法】変更
【補正の内容】
【００１１】
また、本発明は、前記記憶手段は、前記帳票データ内の集計対象となるデータ項目と該データ項目ごとのデータ範囲の位置との関係を示す項目位置データを更に記憶し、前記受付手段で受け付けた複数のデータ範囲と、前記記憶手段に記憶されている項目位置データとに従って、前記受付手段により選択を受け付けたデータ範囲のデータ項目を特定する特定手段と、を更に備え、前記演算候補抽出手段は、前記特定手段により特定された複数のデータ項目と、前記記憶手段に記憶されている演算候補データとに従って、前記受付手段で受け付けた複数のデータ範囲のデータ項目のデータ間の演算処理に対する演算候補を抽出して前記表示部に表示することを特徴とする。
【手続補正６】
【補正対象書類名】明細書
【補正対象項目名】００１２
【補正方法】変更
【補正の内容】
【００１２】
また、前記受付手段により３つ以上のデータ範囲の選択を受け付けた場合、前記演算候補抽出手段は、当該３つ以上のデータ範囲に対するデータ項目のデータ間で演算可能な全ての演算候補を、前記記憶手段に記憶されている演算候補データから抽出することを特徴とする。
【手続補正７】
【補正対象書類名】明細書
【補正対象項目名】００１３
【補正方法】変更
【補正の内容】
【００１３】
また、本発明は、帳票データの表示を行うクライアント装置と通信可能な該帳票データを記憶する帳票サーバとして機能する情報処理装置であって、前記帳票データと、前記帳票データ内の集計対象となる複数のデータ範囲のデータ間の演算処理に対する演算候補と該演算候補に対する演算処理で用いられるデータ項目との関係を示す演算候補データとを記憶する記憶手段と、前記クライアント装置からの要求に応じて、前記記憶手段に記憶されている帳票データと、該帳票データで用いられる演算候補データとを、前記クライアント装置に返送する返送手段と、前記クライアント装置から送信される演算要求に含まれる演算候補に対する演算処理を、前記クライアント装置で選択された複数のデータ範囲のデータに対して実行する演算処理手段と、前記演算処理手段により実行された演算処理の結果を前記クライアント装置に送信する処理結果送信手段と、を備えることを特徴とする。
【手続補正８】
【補正対象書類名】明細書
【補正対象項目名】００１４
【補正方法】変更
【補正の内容】
【００１４】
また、本発明は、帳票データを記憶する帳票サーバと通信可能なクライアント装置として機能する情報処理装置であって、前記帳票サーバから、前記帳票データと、該帳票データで用いられる演算候補データとを受信する受信手段と、前記受信手段により受信された帳票データを表示部に表示する表示手段と、前記表示手段により表示された帳票データ内の集計対象となるデータ範囲の選択を受け付ける受付手段と、前記受付手段で受け付けた複数のデータ範囲のデータ項目と、前記受信手段により受信された演算候補データとに従って、前記受付手段で受け付けた複数のデータ範囲のデータ項目のデータ間の演算処理に対する演算候補を抽出して前記表示部に表示する演算候補抽出手段と、前記演算候補抽出手段により抽出された演算候補の中から、演算候補の選択を受け付ける演算候補受付手段と、前記受付手段により受け付けた複数のデータ範囲のデータに対して、前記演算候補受付手段により受け付けた演算候補に対する演算処理を実行するための、該演算候補を含む演算要求を前記帳票サーバに送信する演算要求手段と、前記帳票サーバから受信する、前記演算要求に対する演算処理の結果を前記表示部に表示する処理結果表示手段と、を備えることを特徴とする。
【手続補正９】
【補正対象書類名】明細書
【補正対象項目名】００１５
【補正方法】変更
【補正の内容】
【００１５】
また、本発明は、帳票データを記憶する帳票サーバと通信可能なクライアント装置として機能する情報処理装置であって、前記帳票サーバから、前記帳票データと、該帳票データで用いられる演算候補データとを受信する受信手段と、前記受信手段により受信された帳票データを表示部に表示する表示手段と、前記表示手段により表示された帳票データ内の集計対象となるデータ範囲の選択を受け付ける受付手段と、前記受付手段で受け付けた複数のデータ範囲のデータ項目と、前記受信手段により受信された演算候補データとに従って、前記受付手段で受け付けた複数のデータ範囲のデータ項目のデータ間の演算処理に対する演算候補を抽出して前記表示部に表示する演算候補抽出手段と、前記演算候補抽出手段により抽出された演算候補の中から、演算候補の選択を受け付ける演算候補受付手段と、前記受付手段により受け付けた複数のデータ範囲のデータに対して、前記演算候補受付手段により受け付けた演算候補に対する演算処理を実行する演算処理手段と、前記演算処理手段により実行された演算処理の結果を前記表示部に表示する処理結果表示手段と、を備えることを特徴とする。
【手続補正１０】
【補正対象書類名】明細書
【補正対象項目名】００１６
【補正方法】変更
【補正の内容】
【００１６】
また、本発明は、帳票データ内の集計対象となる複数のデータ範囲のデータ間の演算処理に対する演算候補と該演算候補に対する演算処理で用いられるデータ項目との関係を示す演算候補データを記憶する記憶手段を備え、前記帳票データを表示部に表示する帳票表示システムで読み取り実行可能なプログラムであって、前記帳票表示システムを、前記帳票データを前記表示部に表示する表示手段と、前記表示手段で表示された帳票データ内の集計対象となるデータ範囲の選択を受け付ける受付手段と、前記受付手段で受け付けた複数のデータ範囲のデータ項目と、前記記憶手段に記憶されている演算候補データとに従って、前記受付手段で受け付けた複数のデータ範囲のデータ項目のデータ間の演算処理に対する演算候補を抽出して前記表示部に表示する演算候補抽出手段と、前記演算候補抽出手段により抽出された演算候補の中から、演算候補の選択を受け付ける演算候補受付手段と、前記演算候補受付手段により受け付けた演算候補に対する演算処理を、前記受付手段で受け付けた複数のデータ範囲のデータに対して実行する演算処理手段と、前記演算処理手段により実行された演算処理の結果を前記表示部に表示する処理結果表示手段として機能させることを特徴とする。
【手続補正１１】
【補正対象書類名】明細書
【補正対象項目名】００１７
【補正方法】変更
【補正の内容】
【００１７】
また、本発明は、帳票データの表示を行うクライアント装置と通信可能であり、前記帳票データと、前記帳票データ内の集計対象となる複数のデータ範囲のデータ間の演算処理に対する演算候補と該演算候補に対する演算処理で用いられるデータ項目との関係を示す演算候補データとを記憶する記憶手段を備えた帳票サーバとして機能する情報処理装置で実行されるプログラムであって、前記情報処理装置を、前記クライアント装置からの要求に応じて、前記記憶手段に記憶されている帳票データと、該帳票データで用いられる演算候補データとを、前記クライアント装置に返送する返送手段と、前記クライアント装置から送信される演算要求に含まれる演算候補に対する演算処理を、前記クライアント装置で選択された複数のデータ範囲のデータに対して実行する演算処理手段と、前記演算処理手段により実行された演算処理の結果を前記クライアント装置に送信する処理結果送信手段として機能させることを特徴とする。
【手続補正１２】
【補正対象書類名】明細書
【補正対象項目名】００１８
【補正方法】変更
【補正の内容】
【００１８】
また、本発明は、帳票データを記憶する帳票サーバと通信可能なクライアント装置として機能する情報処理装置で実行されるプログラムであって、前記情報処理装置を、前記帳票サーバから、前記帳票データと、該帳票データで用いられる演算候補データとを受信する受信手段と、前記受信手段により受信された帳票データを表示部に表示する表示手段と、前記表示手段により表示された帳票データ内の集計対象となるデータ範囲の選択を受け付ける受付手段と、前記受付手段で受け付けた複数のデータ範囲のデータ項目と、前記受信手段により受信された演算候補データとに従って、前記受付手段で受け付けた複数のデータ範囲のデータ項目のデータ間の演算処理に対する演算候補を抽出して前記表示部に表示する演算候補抽出手段と、前記演算候補抽出手段により抽出された演算候補の中から、演算候補の選択を受け付ける演算候補受付手段と、前記受付手段により受け付けた複数のデータ範囲のデータに対して、前記演算候補受付手段により受け付けた演算候補に対する演算処理を実行するための、該演算候補を含む演算要求を前記帳票サーバに送信する演算要求手段と、前記帳票サーバから受信する、前記演算要求に対する演算処理の結果を前記表示部に表示する処理結果表示手段として機能させることを特徴とする。
【手続補正１３】
【補正対象書類名】明細書
【補正対象項目名】００１９
【補正方法】変更
【補正の内容】
【００１９】
また、本発明は、帳票データを記憶する帳票サーバと通信可能なクライアント装置として機能する情報処理装置で実行可能なプログラムであって、前記情報処理装置を、前記帳票サーバから、前記帳票データと、該帳票データで用いられる演算候補データとを受信する受信手段と、前記受信手段により受信された帳票データを表示部に表示する表示手段と、前記表示手段により表示された帳票データ内の集計対象となるデータ範囲の選択を受け付ける受付手段と、前記受付手段で受け付けた複数のデータ範囲のデータ項目と、前記受信手段により受信された演算候補データとに従って、前記受付手段で受け付けた複数のデータ範囲のデータ項目のデータ間の演算処理に対する演算候補を抽出して前記表示部に表示する演算候補抽出手段と、前記演算候補抽出手段により抽出された演算候補の中から、演算候補の選択を受け付ける演算候補受付手段と、前記受付手段により受け付けた複数のデータ範囲のデータに対して、前記演算候補受付手段により受け付けた演算候補に対する演算処理を実行する演算処理手段と、前記演算処理手段により実行された演算処理の結果を前記表示部に表示する処理結果表示手段として機能させることを特徴とする。
【手続補正１４】
【補正対象書類名】明細書
【補正対象項目名】００２０
【補正方法】変更
【補正の内容】
【００２０】
また、本発明は、帳票データ内の集計対象となる複数のデータ範囲のデータ間の演算処理に対する演算候補と該演算候補に対する演算処理で用いられるデータ項目との関係を示す演算候補データを記憶する記憶手段を備え、前記帳票データを表示部に表示する帳票表示システムにおける帳票表示方法であって、前記帳票表示システムの表示手段が、前記帳票データを前記表示部に表示する表示工程と、前記帳票表示システムの受付手段が、前記表示工程で表示された帳票データ内の集計対象となるデータ範囲の選択を受け付ける受付工程と、前記帳票表示システムの演算候補抽出手段が、前記受付工程で受け付けた複数のデータ範囲のデータ項目と、前記記憶手段に記憶されている演算候補データとに従って、前記受付工程で受け付けた複数のデータ範囲のデータ項目のデータ間の演算処理に対する演算候補を抽出して前記表示部に表示する演算候補抽出工程と、前記帳票表示システムの演算候補受付手段が、前記演算候補抽出工程により抽出された演算候補の中から、演算候補の選択を受け付ける演算候補受付工程と、前記帳票表示システムの演算処理手段が、前記演算候補受付工程により受け付けた演算候補に対する演算処理を、前記受付工程で受け付けた複数のデータ範囲のデータに対して実行する演算処理工程と、前記帳票表示システムの処理結果表示手段が、前記演算処理工程により実行された演算処理の結果を前記表示部に表示する処理結果表示工程と、を含むことを特徴とする。
また、本発明は、帳票データの表示を行うクライアント装置と通信可能であり、前記帳票データと、前記帳票データ内の集計対象となる複数のデータ範囲のデータ間の演算処理に対する演算候補と該演算候補に対する演算処理で用いられるデータ項目との関係を示す演算候補データとを記憶する記憶手段を備えた帳票サーバとして機能する情報処理装置における情報処理方法であって、前記情報処理装置の返送手段が、前記クライアント装置からの要求に応じて、前記記憶手段に記憶されている帳票データと、該帳票データで用いられる演算候補データとを、前記クライアント装置に返送する返送工程と、前記情報処理装置の演算処理手段が、前記クライアント装置から送信される演算要求に含まれる演算候補に対する演算処理を、前記クライアント装置で選択された複数のデータ範囲のデータに対して実行する演算処理工程と、前記情報処理装置の処理結果送信手段が、前記演算処理工程により実行された演算処理の結果を前記クライアント装置に送信する処理結果送信工程と、を含むことを特徴とする。
【手続補正１５】
【補正対象書類名】明細書
【補正対象項目名】００２１
【補正方法】変更
【補正の内容】
【００２１】
また、本発明は、帳票データを記憶する帳票サーバと通信可能なクライアント装置として機能する情報処理装置における情報処理方法であって、前記情報処理装置の受信手段が、前記帳票サーバから、前記帳票データと、該帳票データで用いられる演算候補データとを受信する受信工程と、前記情報処理装置の表示手段が、前記受信手段により受信された帳票データを表示部に表示する表示工程と、前記情報処理装置の受付手段が、前記表示工程により表示された帳票データ内の集計対象となるデータ範囲の選択を受け付ける受付工程と、前記情報処理装置の演算候補抽出手段が、前記受付工程で受け付けた複数のデータ範囲のデータ項目と、前記受信工程により受信された演算候補データとに従って、前記受付工程で受け付けた複数のデータ範囲のデータ項目のデータ間の演算処理に対する演算候補を抽出して前記表示部に表示する演算候補抽出工程と、前記情報処理装置の演算候補受付手段が、前記演算候補抽出工程により抽出された演算候補の中から、演算候補の選択を受け付ける演算候補受付工程と、前記情報処理装置の演算要求手段が、前記受付工程により受け付けた複数のデータ範囲のデータに対して、前記演算候補受付工程により受け付けた演算候補に対する演算処理を実行するための、該演算候補を含む演算要求を前記帳票サーバに送信する演算要求工程と、前記情報処理装置の処理結果表示手段が、前記帳票サーバから受信する、前記演算要求に対する演算処理の結果を前記表示部に表示する処理結果表示工程と、を含むことを特徴とする。
【手続補正１６】
【補正対象書類名】明細書
【補正対象項目名】００２２
【補正方法】変更
【補正の内容】
【００２２】
また、本発明は、帳票データを記憶する帳票サーバと通信可能なクライアント装置として機能する情報処理装置における情報処理方法であって、前記情報処理装置の受信手段が、前記帳票サーバから、前記帳票データと、該帳票データで用いられる演算候補データとを受信する受信工程と、前記情報処理装置の表示手段が、前記受信工程により受信された帳票データを表示部に表示する表示工程と、前記情報処理装置の受付手段が、前記表示工程により表示された帳票データ内の集計対象となるデータ範囲の選択を受け付ける受付工程と、前記情報処理装置の演算候補抽出手段が、前記受付工程で受け付けた複数のデータ範囲のデータ項目と、前記受信工程により受信された演算候補データとに従って、前記受付工程で受け付けた複数のデータ範囲のデータ項目のデータ間の演算処理に対する演算候補を抽出して前記表示部に表示する演算候補抽出工程と、前記情報処理装置の演算候補受付手段が、前記演算候補抽出工程により抽出された演算候補の中から、演算候補の選択を受け付ける演算候補受付工程と、前記情報処理装置の演算処理手段が、前記受付工程により受け付けた複数のデータ範囲のデータに対して、前記演算候補受付工程により受け付けた演算候補に対する演算処理を実行する演算処理工程と、前記情報処理装置の処理結果表示手段が、前記演算処理工程により実行された演算処理の結果を前記表示部に表示する処理結果表示工程と、を含むことを特徴とする。
【手続補正１７】
【補正対象書類名】明細書
【補正対象項目名】００２３
【補正方法】変更
【補正の内容】
【００２３】
本発明によれば、複数のデータ範囲を任意に指定することで、指定された複数のデータ範囲の関係から適切な演算を指示することができ、指示された演算処理を実行させることができる。